(57)【要約】【課題】男性用循環式水洗トイレとして、極めて簡素な構成により、回収洗浄水に伴って体毛等の異物が循環洗浄水槽内へ流入するのを確実に阻止し、該異物による様々なトラブルを未然に防止でき、該異物の除去作業を容易に行えるものを提供する。【解決手段】男性用小水便器の便器本体１の内側底部に循環洗浄水槽２が設置され、便器面１０を流下した洗浄水Ｗを便器排水口１１から該循環洗浄水槽２へ流入させて回収し、循環洗浄水槽２内の洗浄水Ｗを小水便器へ循環させて反復再利用するように構成され、循環洗浄水槽２における回収洗浄水Ｗの流入部２１に、多孔状のストレーナー３が着脱可能に配置している。【選択図】図３
2014070374.tif 000002
【特許請求の範囲】
【請求項１】
男性用小水便器の便器本体の内側底部に循環洗浄水槽が設置され、便器面を流下した洗浄水を便器排水口から該循環洗浄水槽へ流入させて回収すると共に、この循環洗浄水槽内の洗浄水を前記小水便器へ循環させて反復再利用するように構成された男性用循環式水洗トイレであって、
前記循環洗浄水槽における回収洗浄水の流入部に、多孔状のストレーナーが着脱可能に配置していることを特徴とする男性用循環式水洗トイレ。
【請求項２】
前記ストレーナーは、前記循環洗浄水槽の上方開放部を覆う多孔平板部の周縁に、多孔突縁部が立ち上げ形成されてなり、
このストレーナーを該循環洗浄水槽に配置した状態で、前記多孔突縁部と循環洗浄水槽の内周面との間に溢流間隙を有することを特徴とする請求項１に記載の男性用循環式水洗トイレ。
【請求項３】
前記ストレーナーが前記循環洗浄水槽に対して抽斗式に着脱可能である請求項１又は２に記載の男性用循環式水洗トイレ。
【発明の詳細な説明】
【技術分野】
【０００１】
本発明は、男性用小水便器の便器面を流下した洗浄水を便器排水口から循環洗浄水槽へ流入させ、この循環洗浄水槽内の洗浄水を前記小水便器へ循環させて反復再利用する、男性用循環式水洗トイレに関する。
【背景技術】
【０００２】
大規模商業施設、交通機関の駅、空港、自動車道のパーキングエリア、学校、工場、ビル等における業務用トイレでは、便器の設置数が多く利用頻度も高いことから、節水と管理コストの低減、清掃作業の簡素化、衛生面の向上が重要な課題になる。しかして、近年の男性用水洗トイレでは、洗浄水の消費量を減らして大幅な節水を可能にすると共に、除菌、消臭、防汚等の目的で洗浄水に添加された薬剤成分が効力を残したまま廃棄されるという無駄を減らすために、自動的に使用後の洗浄水を回収して繰り返し再利用できるようにした循環式のものが普及しつつある。
【０００３】
この循環式の男性用水洗トイレは、一般的に、小水便器の便器排水口の下位に設けた切換弁により、排水流路を下水道に繋がる排水管と循環洗浄水槽とに切換え可能であり、光学センサ等の人体検知手段によって利用者の存在を検知し、利用者の小水を排水管へ導く一方、利用者が離れてから所要量の洗浄水を便器面に流して洗浄し、その流下した洗浄水を循環洗浄水槽へ流入させて回収し、この循環洗浄水槽内の洗浄水を小水便器へ循環させて反復再利用するように構成されている（例えば、特許文献１）。また、このような男性用循環式水洗トイレにおいて、洗浄効果を高めるために、初期洗浄として利用者の存在を検知した段階もしくは利用者が離れた直後に少量の洗浄水を流し、その洗浄水を小水と共に前記排水管へ排出したのち、本洗浄として比較的多量の洗浄水を流し、この本洗浄の洗浄水を循環洗浄水槽へ導いて回収する、二段階洗浄方式も採用されている。
【先行技術文献】
【特許文献】
【０００４】
【特許文献１】特許第３８５３８２５号公報
【発明の概要】
【発明が解決しようとする課題】
【０００５】
しかしながら、従来の男性用循環式水洗トイレにおいては、便器面に落下する体毛（陰毛）を主体とする異物の殆どは小水又は初期洗浄の洗浄水に伴って排水管側へ排出されるが、その一部が回収洗浄水と一緒に循環洗浄水槽側へ流入することは不可避であるため、時間経過と共に循環洗浄水槽内の異物量が増えてゆき、この循環洗浄水槽内の異物が洗浄水に混じって循環経路へ移動することで様々なトラブルの要因になる。とりわけ、洗浄水の循環用や吐出用のポンプ類は、体毛を始めとする繊維状異物に弱く、羽根等の回転部に異物が絡みついて作動不良や作動停止を生起し易い。また、便器面へ洗浄水を放出する洗浄ノズルや循環経路の配管中でも、異物による詰まりが発生し易くなる。更に、循環洗浄水槽内の洗浄水量がある程度まで減少すれば、それを検出して水道管からの新たな洗浄水と薬液タンクからの薬液を自動的に補給するのが普通であるが、その補給作動を循環洗浄水槽内に設けたフロートスイッチによって行う場合、循環洗浄水槽内の異物量が多くなると、該フロートスイッチの昇降動作に支障をきたして水面レベルが検出されず、洗浄水量不足に陥ることも往々にしてあった。
【０００６】
本発明は、上述の事情に鑑みて、男性用循環式水洗トイレとして、極めて簡素な構成により、回収洗浄水に伴って体毛等の異物が循環洗浄水槽内へ流入するのを確実に阻止し、もって該異物による様々なトラブルを未然に防止できると共に、該異物の除去作業を容易に行えるものを提供することを目的としている。
【課題を解決するための手段】
【０００７】
上記目的を達成するための手段を図面の参照符号を付して示せば、請求項１の発明は、  男性用小水便器の便器本体１の内側底部に循環洗浄水槽２が設置され、便器面１０を流下した洗浄水Ｗを便器排水口１１から該循環洗浄水槽２へ流入させて回収すると共に、この循環洗浄水槽２内の洗浄水Ｗを小水便器へ循環させて反復再利用するように構成された男性用循環式水洗トイレであって、循環洗浄水槽２における回収洗浄水Ｗの流入部２１に、多孔状のストレーナー３が着脱可能に配置していることを特徴としている。
【０００８】
請求項２の発明は、上記請求項１の男性用循環式水洗トイレにおいて、ストレーナー３は、循環洗浄水槽２の上方開放部２０を覆う多孔平板部３１の周縁に、多孔突縁部３２が立ち上げ形成されてなり、このストレーナー３を該循環洗浄水槽２に配置した状態で、多孔突縁部３２と循環洗浄水槽２の内周面との間に溢流間隙ｔを有することを特徴としている。
【０００９】
請求項３の発明は、上記請求項１又は２の男性用循環式水洗トイレにおいて、ストレーナー３が循環洗浄水槽２に対して抽斗式に着脱可能である構成としている。
【発明の効果】
【００１０】
次に、本発明の効果について図面の参照符号を付して示せば、請求項１の発明に係る男性用循環式水洗トイレでは、循環洗浄水槽２における回収洗浄水Ｗの流入部２１に配置する多孔状のストレーナー３により、回収洗浄水Ｗに混入する体毛等の異物が漉し取られるから、循環洗浄水槽２内には該異物が除かれた回収洗浄水Ｗのみが流入して貯留される。従って、該ストレーナー３の漉し取り能力が持続する間は、循環洗浄水槽２内の異物が洗浄水Ｗに混じって循環経路へ移動することがなく、洗浄水の循環用や吐出用のポンプ類の該異物に起因した作動不良や作動停止、便器面へ洗浄水を放出する洗浄ノズルや循環経路の配管中での異物の詰まり、循環洗浄水槽２への洗浄水及び薬液の補給を司るフロートスイッチの異物による作動不良といった様々なトラブルが未然に防止される。また、ストレーナー３は循環洗浄水槽２に対して着脱可能であるから、該男性用循環式水洗トイレの所定の使用時間の経過後、該ストレーナー３を循環洗浄水槽２から取り外し、漉し取った異物をゴミ袋等に簡易に投棄できると共に、投棄後の該ストレーナー３を水洗い等で簡単に洗浄した上で、循環洗浄水槽２に綺麗な状態で再装着できる。
【００１１】
請求項２の発明によれば、ストレーナー３は、循環洗浄水槽２の上方開放部２０を覆う多孔平板部３１の周縁に多孔突縁部３２が立ち上げ形成されたトレー状の形態であり、流入する回収洗浄水Ｗが広面積の多孔平板部３１に展開する形で異物の漉し取りを行えるから、多孔平板部３１の全体に目詰まりが生じるまでに大量の異物を捕獲できる上、該多孔平板部３１の全体が目詰まりしても多孔突縁部３２での漉し取りで更に多量の異物を捕獲できる。しかも、ストレーナー３の多孔突縁部３２と循環洗浄水槽２の内周面との間に溢流間隙ｔを有するから、仮に該ストレーナー３の全体が目詰まりして漉し取り不能になることがあっても、流入する回収洗浄水Ｗを多孔突縁部３２よりオーバーフローさせて溢流間隙ｔから循環洗浄水槽２内へ流下させることができ、もって回収洗浄水Ｗがストレーナー３の目詰まりで周辺へ溢れ出して便器本体１内を水浸しにする事態には至らない。
【００１２】
請求項３の発明によれば、ストレーナー３が循環洗浄水槽２に対して抽斗式に着脱可能であるから、漉し取った異物を廃棄する際に該ストレーナー３を循環洗浄水槽２から極めて簡単に取り外すことができると共に、異物廃棄後の該ストレーナー３を循環洗浄水槽２に対して容易に装着できる。
【図面の簡単な説明】
【００１３】
【図１】本発明の一実施形態に係る男性用循環式水洗トイレの縦断側面図である。
【図２】同男性用循環式水洗トイレの下部の縦断正面図である。
【図３】同男性用循環式水洗トイレの配管構成を示す模式図である。
【図４】同男性用循環式水洗トイレにおける循環洗浄水槽を示す斜視図である。
【発明を実施するための形態】
【００１４】
以下に、本発明の一実施形態に係る男性用循環式水洗トイレについて、図面を参照して具体的に説明する。なお、本発明は該実施形態の構成に限定されるものではない。
【００１５】
図１〜図３に示すように、この男性用循環式水洗トイレは、前面側が凹形の便器面１０を構成する便器本体１の内側底部に、便器排水口１１の直下に位置する切換弁ユニット４と、左寄りに位置する循環洗浄水槽２と、右寄りに位置する循環ポンプＰ１とが設置されている。また、便器本体１の内側上部には制御装置６及び薬液タンク７が、同中間部にはサブタンク８及び吐出ポンプＰ２が、それぞれ配置している。そして、便器本体１の前面頂部には利用者の存在を検知するための光学センサ等よりなる人体検知手段１２が設けられ、便器面１０の上部には洗浄水Ｗを便器面に向けて吐出する洗浄ノズル１３が取り付けられている。１４は便器排水口１１上に被せた目皿である。
【００１６】
切換弁ユニット４は、便器排水口１１からの排水流路を、下水道に繋がる排水管１５側と循環洗浄水槽２への回収流路１６側とに切換えるものであり、制御装置６のプログラム設定により、人体検知手段１２での利用者の検知に基いて自動的に切換え作動する。例えば二段洗浄方式では、利用者が便器面１０の前に立った時点もしくは利用者が排尿後に離れた直後に、初期洗浄として洗浄ノズル１３から少量の洗浄水Ｗが吐出されるが、この段階では切換弁ユニット４にて排水流路が排水管１５側に繋がっているため、初期洗浄の洗浄水Ｗと小水Ｕは排水管１５へ排出される。そして、利用者が離れてから所定時間（一般に５〜１０秒程度）経過後に、本洗浄として比較的多量の洗浄水Ｗが流されるが、この時には切換弁ユニット４が排水流路を回収流路１６側に切換えられることで、本洗浄の洗浄水Ｗは循環洗浄水槽２へ導かれて回収される。
【００１７】
なお、切換弁ユニット４は、図ではロータリーアクチュエータにてフラッパーを切り換えるフラップ弁として図示しているが、三方弁、ロータリーバルブ、ソレノイドバルブ等の種々の切換機構を持つ切換弁を採用できる。
【００１８】
循環洗浄水槽２内に貯留された洗浄水Ｗは、循環ポンプＰ１によって循環流路Ｌ１，Ｌ２を通してサブタンク８へ送り込まれ、更に該サブタンク８から吐出ポンプＰ２によって循環流路Ｌ３を通して洗浄ノズル１３へ送られる。なお、循環ポンプＰ１からサブタンク８へ向かう循環流路Ｌ２には微小な固形異物を除去する濾過器１７が介在している。また、サブタンク８には、底部より開閉弁Ｖ１を介して垂下するドレイン流路Ｌ４と、余剰の洗浄水Ｗを溢流させるオーバーフロー流路Ｌ５とが接続されており、両流路Ｌ４，Ｌ５からの洗浄水Ｗが循環洗浄水槽２内へ排出されるようになっている。なお、サブタンク８を設置しない場合は、代わりに逆止弁を設けて洗浄水の逆流を防止することが望ましい。
【００１９】
循環洗浄水槽２は、図４でも詳細に示すように、上方に開放した平面視略矩形の本体部２ａの一端側に幅狭の受水部２ｂが一体形成されており、その受水部２ｂの上部側壁に回収流路１６の導出口１６ａが矩形に開口すると共に、該受水部２ｂの上部に嵌着した枠板２１ａにより、導出口１６ａから流入する回収洗浄水Ｗを本体部２ａ上へ導く流入路２１が形成されている。そして、本体部２ａの上部には、トレー状の合成樹脂成型物からなるストレーナー３が配置しており、流入路２１からの回収洗浄水Ｗが該ストレーナー３で漉されて本体部２ａ内へ流れ込むようになっている。
【００２０】
ストレーナー３は、循環洗浄水槽２に対して図２及び図４の仮想線で示すように抽斗式に着脱可能であり、本体部２ａの上方開放部２０の略全体を覆う多孔平板部３１と、その引出し側の一辺を除く周縁に立ち上げ形成された多孔突縁部３２と、該引出し側の一辺に設けた把手３３ａ付きの縁枠部３３とからなる。そして、多孔突縁部３２と縁枠部３３は同じ上下幅であるが、縁枠部３３の全体は内側に対して閉止している。一方、便器本体１の左側壁部１ａには、ストレーナー３に対応する高さ位置に、人手を差込み可能な上下幅で且つ該ストレーナー３よりもやや広い左右幅の開閉扉１８が設けてあり、この開閉扉１８を開いてストレーナー３の着脱を行えるようになっている。
【００２１】
循環洗浄水槽２の本体部２ａの側壁には、ストレーナー３を出入させるためのスリット状開口部２２が設けてあり、その内周には図２に示すようにパッキン２３が嵌着され、ストレーナー３の装着状態でスリット状開口部２２から洗浄水Ｗが漏出するのを該パッキン２３にて防止している。また、循環洗浄水槽２内には、スリット状開口部２２側と対向する側壁側との間に一対の支持バー２４（図１参照）が架設され、スリット状開口部２２から挿入したストレーナー３を左右両側で支承するようになっている。そして、該ストレーナー３の装着状態において、その多孔突縁部３２と循環洗浄水槽２の内周面との間に溢流間隙ｔを有している。
【００２２】
更に、循環洗浄水槽２には、その底部から開閉弁Ｖ２を介して排水管１５に繋がるドレイン流路Ｌ６が接続されている。一方、該循環洗浄水槽２の上方には、水道管（図示省略）から開閉弁Ｖ３を介して新しい洗浄水Ｗを供給する給水路Ｌ７の出口と、薬液タンク７からの薬液を開閉弁Ｖ４を介して供給する薬液供給路Ｌ８の出口とが配置している。そして、該循環洗浄水槽２内には、フロートスイッチ９が設けてあり、貯留している洗浄水Ｗが補給を要する設定値まで低下した際に、それを該フロートスイッチ９が液面レベルより検出し、給水路Ｌ７及び薬液供給路Ｌ８の開閉弁Ｖ３，Ｖ４を開作動させるように構成されている。
【００２３】
上記構成の男性用循環式水洗トイレにおいては、例えば２段洗浄方式に設定している場合、待機状態では便器排水口１１からの排水流路が排水管１５側に繋がっており、利用者が便器面１０の前に立つと、それを人体検出手段１２が検出し、その時点もしくは利用者が排尿後に離れた直後に、初期洗浄として洗浄ノズル１３から少量（例えば１５０ｍｌ程度）の洗浄水Ｗが吐出され、その初期洗浄の洗浄水Ｗと小水Ｕが排水管１５へ排出される。そして、利用者が離れてから一定時間後（例えば８秒後）に、切換弁ユニット４が排水流路を回収流路１６側に切換えると共に、本洗浄として洗浄ノズル１３から比較的多量（例えば１０００ｍｌ程度）の洗浄水Ｗが流され、この本洗浄の洗浄水Ｗが回収流路１６から循環洗浄水槽２へ導かれるが、該回収流路１６の導出口１６ａから流出する回収洗浄水Ｗはストレーナー３を通過することにより、混入する体毛等の異物が漉し取られ、循環洗浄水槽２内には該異物が除かれた綺麗な状態で流入して貯留される。
【００２４】
従って、該ストレーナー３の漉し取り能力が持続する間は、循環洗浄水槽２内の異物が洗浄水Ｗに混じって循環流路Ｌ１〜Ｌ３へ移動することがなく、循環ポンプＰ１及び吐出ポンプＰ２の該異物に起因した作動不良や作動停止、洗浄ノズル１３や循環流路Ｌ１〜Ｌ３の配管中での異物の詰まり、循環洗浄水槽２への洗浄水Ｗ及び薬液の補給を司るフロートスイッチ９の異物による作動不良といった様々なトラブルが未然に防止される。
【００２５】
しかして、実施形態のストレーナー３では、循環洗浄水槽２の上方開放部２０を覆う多孔平板部３１の周縁に多孔突縁部３２が立ち上げ形成されたトレー状の形態であるため、流入する回収洗浄水Ｗが広面積の多孔平板部３１に展開する形で異物の漉し取りを行えることで、多孔平板部３１の全体に目詰まりが生じるまでに大量の異物を捕獲できる上、該多孔平板部３１の全体が目詰まりしても多孔突縁部３２での漉し取りで更に多量の異物を捕獲できる。しかも、実施形態の構成では、ストレーナー３の多孔突縁部３２と循環洗浄水槽２の内周面との間に溢流間隙ｔを有するから、仮に該ストレーナー３の全体が目詰まりして漉し取り不能になることがあっても、流入する回収洗浄水Ｗを多孔突縁部３２よりオーバーフローさせて溢流間隙ｔから循環洗浄水槽２内へ流下させることができ、もって回収洗浄水Ｗが循ストレーナー３の目詰まりで周辺へ溢れ出して便器本体１内を水浸しにする事態には至らない。
【００２６】
また、ストレーナー３は循環洗浄水槽２に対して抽斗式に着脱可能であるから、該男性用循環式水洗トイレの所定の使用時間の経過後、該ストレーナー３を循環洗浄水槽２から側方へ引っ張り出す形で極めて簡単に取り外すことができると共に、取り外した該ストレーナー３から漉し取った異物をゴミ袋等に簡易に投棄できると共に、投棄後の該ストレーナー３を水洗い等で簡単に洗浄した上で、循環洗浄水槽２に綺麗な状態で容易に再装着できる。
【００２７】
なお、循環洗浄水槽２内の洗浄水Ｗは、実施形態では循環ポンプＰ１でサブタンク８へ送り、このサブタンク８から吐出ポンプＰ２にて洗浄ノズル１３へ送出する構成を例示しているが、本発明では、サブタンク８及び吐出ポンプＰ２を介さず、循環ポンプＰ１にて洗浄ノズル１３へ直接に送出する構成としてもよい。また、本発明においては、循環洗浄水槽２及びストレーナー３の形状、循環洗浄水槽２に対するストレーナー３の装着構造、便器排水口１１から排水管１５及び回収流路１６への分岐構造、便器本体１の形状、便器本体１内における各構成部材及び配管の配置構成等、細部構成については実施形態以外に種々設計変更可能である。
【符号の説明】
【００２８】
１      便器本体
１０    便器面
１１    便器排水口
２      循環洗浄水槽
２１    流入路（流入部）
３      ストレーナー
３１    多孔平板部
３２    多孔突縁部
Ｗ      洗浄水
ｔ      溢流間隙
【図１】
2014070374.tif 000003
【図２】
2014070374.tif 000004
【図３】
2014070374.tif 000005
【図４】
2014070374.tif 000006